(57)【要約】      （修正有）【課題】ゴルフ用具の保守・保全ができるように工夫したゴルフカート用アコーデオン型雨よけ具を提供する。【解決手段】カバー本体１に折り目３と折り目４を設け、さらにカバー本体にはシート結束バンド２０とシート結束バンド２１を取り付け、カバー本体にカート結束バンド１２、カート結束バンド１３を付け、カバー本体には支柱５、支柱６、支柱７、支柱８、支柱９、支柱１０、支柱１１の７本を取り付け、カバー本体にカート結束バンド１４、支柱１５、支柱１６、支柱１７、カート結束フック１８、カート結束フック１９を取り付け、カバー本体にフラップ２を取り付けたことを特徴とするゴルフカート用アコーデオン型雨よけ具。【選択図】図１
0003232661.tif 000002
【実用新案登録請求の範囲】
【請求項１】
カバー本体（１）に折り目（３）と折り目（４）を設け、さらにカバー本体（１）にはシート結束バンド（２０）とシート結束バンド（２１）取り付け、カバー本体（１）にカート結束バンド（１２）、カート結束バンド（１３）を付け、カバー本体（１）には支柱（５）、支柱（６）、支柱（７）、支柱（８）、支柱（９）、支柱（１０）、支柱（１１）の７本を取り付け、カバー本体（１）にカート結束バンド（１４）、支柱（１５）、支柱（１６）、支柱（１７）、カート結束フック（１８）、カート結束フック（１９）を取り付け、カバー本体（１）にフラップ（２）を取り付けたことを特徴とするゴルフカート用アコーデオン型雨よけ具。
【考案の詳細な説明】
【技術分野】
【０００１】  本考案は、ゴルフカートに取り付けて使用するもので、ゴルフは往々にしてプレイ中に激しい雨に遭遇することがあり、用具が濡れて不本意なプレイ結果を招いたり、クラブのグリップが滑って事故を招いたりすることのないように雨からゴルフ用具を守る必要があり、そのための雨よけ具として用いられ、ゴルフ用具の保守・保全ができるように工夫したゴルフカート用アコーデオン型雨よけ具に関するものである。
【背景技術】
【０００２】  従来のゴルフ用具の雨よけは、骨組みの支柱が空気を充填するタイプで、カバー素材は熱可塑性樹脂フィルムを採用しており、色もゴルフ場の景観にマッチするグリーンを用いている。
【先行技術文献】
【特許文献】
【０００３】
【特許文献１】登録実用新案第３０２５６５４号公報
【考案の概要】
【考案が解決しようとする課題】
【０００４】イ）骨組みの支柱が空気を充填するタイプは、継続して使用していると空気が漏れてくる    課題がある。
ロ）カバー素材が重く、剛性が高く、使用時にスムーズに開閉できない。
ハ）色つきシートはカート利用時、後方確認が見にくい問題点も生じた。
ニ）近年の豪雨等への対応として、より防水性の高い形状が求められる。
ホ）使用時にはキャディのみならす、プレーヤーでも簡単に広げられるものが望ましい。
ヘ）雨よけ具はプレー中の天気の変動（急な雨・急な雨上がり）によく対応できない。瞬    時に簡単に広げられることが求められる。
ト）ゴルフカートは新旧合わせ様々な形状があり、それぞれに合わせた形状の雨よけ具が    必要となる。
チ）雨よけ具は重量がありカートに負担を与え、重ばり、カートのデザインを阻害してい    る。
リ）骨組みの支柱が空気仕様のため、強い風雨の時は、対候性に問題が生じた。
ヌ）雨よけ具は晴天時等の不要時には場所を取ってしまう
【課題を解決するための手段】
【０００５】  カバー本体（１）に折り目（３）と折り目（４）を設け、さらにカバー本体（１）にはシート結束バンド（２０）とシート結束バンド（２１）取り付け、
カバー本体（１）にカート結束バンド（１２）、カート結束バンド（１３）を付け、
カバー本体（１）には支柱（５）、支柱（６）、支柱（７）、支柱（８）、支柱（９）、支柱（１０）、支柱（１１）の７本を取り付け、
カバー本体（１）にカート結束バンド（１４）、支柱（１５）、支柱（１６）、支柱（１７）、支柱（１７）、カート結束フック（１８）、カート結束フック（１９）を取り付け、
カバー本体（１）にフラップ（２）を取り付ける。
以上のように構成されたゴルフカート用伸展式雨よけ具である。
【考案の効果】
【０００６】イ）骨組みの支柱をグラスファイバーパイプにすることにより、空気漏れがなくなる。
ロ）シート素材は厚みを薄くすることにより、剛性を低く、使用時にスムーズに開閉でき    る。
ハ）シート素材をクリアタイプにしたことにより、後方確認でき、安全性が向上する。
ニ）豪雨への対応として、シート下部にフラップ部を設け、防水性を高める
ホ）フックを外して、ワンタッチで広げられる構造とした。
ヘ）プレー中の天気の変動（急な雨・急な雨上がり）にも対応できるよう、開閉がアコー    デオン型に伸縮自在にし、収納できるようにした。この形だと大きくなく、上部へ一    時収納できるようにした。
ト）雨よけ具は固定バンドを延長、および増設させることにより、どの機種にも装着可能    。
チ）雨除け具はシートを薄くし、丸めてコンパクト化したことにより、軽量化、コンパク    ト化したことにより、常時装着しても、カートに負担を与えず、デザインに影響を与    えない。
リ）雨よけ具の骨組みの支柱をグラスファイバーパイプにし、適材適所に
配置したことにより、対候性がアップする。
ヌ）上記雨除け具は通常はアコーデオン型で利用者が使いやすい形状としているが、秋、    冬等の降雨のない時期（不要時）にはカート上部にコンパクトに収納できるようにし    た。
【図面の簡単な説明】
【０００７】
【図１】  本考案の平面図である。
【図２】  本考案の使用状態を示した説明図である。
【図３】  本考案の雨具のアコーデオン仕様を伸縮させて利用する説明図である。
【図４】  本考案の雨具のアコーデオン仕様を縮めて固定した説明図である。
【図５】  本考案の雨具の収納の仕方を示した説明図である。
【図６】  本考案の雨具の収納の折りたたみ方を示した説明図である。
【図７】  本考案の雨具を収納した図である。
【考案を実施するための形態】
【０００８】  本発明を使用するときは、カバー本体（１）をカート結束バンド（１２）とカート結束バンド（１３）とカート結束バンド（１４）とカート結束バンド（１５）とカート結束バンド（１６）とカート結束バンド（１７）でゴルフカート本体に装着し、カート結束フック（１８）とカート結束フック（１９）でゴルフカート下部にかけて固定する構造としている。
フラップ（２）は支柱（７）から折り返してゴルフ道具が取り出しやすい構造としている。
カバー本体（１）は支柱（６）あたりまでアコーデオン型に縮めてゴルフ道具が取り出しやすい構造としている。
カバー本体（１）のカート結束フック（１８）とカート結束フック（１９）を外し、カバー本体（１）を縮めて、カート結束バンド（１４）とカート結束バンド（１６）とシート結束バンド（２０）とシート結束バンド（２１）でゴルフカート躯体とカバー本体（１）を結束し、アコーデオン型に固定できる構造としている。
カバー本体（１）には支柱（５）、支柱（６）、支柱（７）、支柱（８）、支柱（９）、支柱（１０）、支柱（１１）の７本を取り付け、雨具を広げた時にシーとがくぼまず、張りを持たせ、風雨時にまくれ上がらないようにし、そして、ゴルフ道具を取り出しやすくした。
カバー本体（１）にカート結束バンド（１４）、支柱（１５）、支柱（１６）、支柱（１７）、カート結束フック（１８）、カート結束フック（１９）を取り付け、雨具を広げた時にカートに結束し、風雨に飛ばされず、ゴルフ道具への防水性を高めた。
カバー本体（１）にフラップ（２）を取り付け、より防水性を高めた。
収納時に関しては、カバー本体（１）はカート結束フック（１８）とカート結束フック（１９）を外し、カート結束バンド（１４）とカート結束バンド（１５）とカート結束バンド（１６）とカート結束バンド（１７）をゴルフカート本体からはずし、折り目（３）と折り目（４）から内折りし、フラップ（２）を支柱７まで縮め、カバー本体（１）を支柱（５）まで巻き上げる。シート結束バンド（２０）とシート結束バンド（２１）で締め上げ、ゴルフカート上部に収納する。
カバー本体（１）はカート結束バンド（１２）、カート結束バンド（１３）を外すことにより、ゴルフカートから着脱出来るものとした。
本発明は以上のような構造である。
【符号の説明】
【０００９】１  カバー本体
２  フラップ
３  折り目
４  折り目
５  支柱
６  支柱
７  支柱
８  支柱
９  支柱
１０  支柱
１１  支柱
１２  カート結束バンド
１３  カート結束バンド
１４  カート結束バンド
１５  カート結束バンド
１６  カート結束バンド
１７  カート結束バンド
１８  カート結束フック
１９  カート結束フック
２０  シート結束バンド
２１  シート結束バンド
【図１】
0003232661.tif 000003
【図２】
0003232661.tif 000004
【図３】
0003232661.tif 000005
【図４】
0003232661.tif 000006
【図５】
0003232661.tif 000007
【図６】
0003232661.tif 000008
【図７】
0003232661.tif 000009
【手続補正書】
【提出日】令和3年3月10日(2021.3.10)
【手続補正１】
【補正対象書類名】実用新案登録請求の範囲
【補正対象項目名】全文
【補正方法】変更
【補正の内容】
【実用新案登録請求の範囲】
【請求項１】
略六角形状のカバー本体（１）の中央部の両側に折り目（３）と折り目（４）を設け、さらに、略六角形状のカバー本体（１）の上部にシート結束バンド（２０）とシート結束バンド（２１）を設け、略六角形形状のカバー本体（１）上部両側にカート結束バンド（１２）、カート結束バンド（１３）を設け、略六角形状のカバー本体（１）上部には支柱（５）を設け、略六角形状のカバー本体（１）下側に略六角形状の形に支柱（６）、支柱（７）、支柱（８）、支柱（９）、支柱（１０）、支柱（１１）を設け、合計７本の支柱を設け、略六角形状のカバー本体（１）両側斜辺部にカート結束バンド（１４）、カート結束バンド（１５）、カート結束バンド（１６）、カート結束バンド（１７）を設け、略六角形状のカバー本体（１）両辺下部に、カート結束フック（１８）、カート結束フック（１９）を設け、略六角形状のカバー本体（１）下部にフラップ（２）を設けたことを特徴とするゴルフカート用アコーデオン型雨よけ具。